(57)【要約】      （修正有）【課題】外へナトリウム粉体又は液体状のナトリウム微粒子が出ないようにすると共に、運転停止後液体ナトリウムが固化したものを溶かして再始動できるようにするナトリウム発電装置を提供する。【解決手段】水３が入っている容器１と、容器内に設けられ、ナトリウム粉体又は液体ナトリウム微粒子１４を水に散布するナトリウム散布口２と、容器内で生成される水蒸気１７によって発電する発電機１１とを有し、容器内の水とナトリウム粉体又は液体ナトリウム微粒子との化学反応と燃焼反応とにより発生する水蒸気と、反応熱によって蒸発する水蒸気とを生成し、発電するナトリウム発電装置であり、容器内の上部に、水滴１５を充満させるスプリンクラー５を設置する。また、容器出口より外側に底部に中空の球体９を有するＵ字管８を多段に設ける。更に、ナトリウム散布口の周囲にニクロム線４を埋め込み、液体ナトリウムの固化した塊を加熱・融解する。【選択図】図１
0003199578.tif 000002
【実用新案登録請求の範囲】
【請求項１】
容器（１）内に水滴（１５）を充満させる前記容器（１）の上部に設置されたスプリンクラー（５）を有することを特徴とする改良型ナトリウム発電装置
【請求項２】
容器（１）の蒸気出口（７）から外側に底部に中空の球体（９）を有する一段又は多段のＵ字管（８）を有することを特徴とする改良型ナトリウム発電装置
【請求項３】
周囲に蓄電池（Ｅ）に接続されたニクロム線（４）を埋め込んだナトリウム散布口（２）を有することを特徴とする改良型ナトリウム発電装置
【考案の詳細な説明】
【技術分野】
【０００１】本考案はナトリウム発電におけるナトリウム発電装置の容器内に滞留するナトリウム粉体又は液体ナトリウム微粒子を容器内で反応させる改良と、ナトリウム散布口内のナトリウム粉体が異常な高温により液化した場合に装置を停止すると冷却しナトリウムの大きな固体塊となった場合のナトリウム発電装置の再始動を可能にする該ナトリウム発電装置の改良に関する。
【背景技術】
【０００２】従来のナトリウム発電装置では、散布されたナトリウム粉体及び噴霧された液体ナトリウム微粒子が容器内（炉内）に滞留し、一部が蒸気と一緒に容器外へ放出されるという欠点が有った。
また、ナトリウム散布口が異常な高温となり、該ナトリウム散布口内のナトリウム粉体が液体ナトリウムとなり、ナトリウム発電装置を停止すると該液体ナトリウムが冷却して、ナトリウムの大きな固体塊となり、そのままでは該ナトリウム発電装置を再始動できないという欠点が有った。
【考案の開示】
【考案が解決しようとする課題】
【０００３】散布されたナトリウム粉体及び噴霧された液体ナトリウム微粒子がナトリウム発電装置の容器外に放出されるのを防ぐ。また、ナトリウム散布口内の液体ナトリウムが冷却してナトリウムの大きな固体塊となっても装置を再始動できるようにすることを目的としている。
【課題を解決するための手段】
【０００４】ナトリウム発電装置の容器内の上部にスプリンクラーを設置し、容器内に水滴を充満させ、容器内に滞留するナトリウム粉体又は液体ナトリウム微粒子と該水滴とを反応させ、容器内で蒸気と水酸化ナトリウムにする。また、底部に中空の球体を有するＵ字管を容器の出口から外側に多段に設置し、該Ｕ字管内を移動していくナトリウム粉体又は液体ナトリウム微粒子を該中空の球体内に閉じ込めるか、該中空の球体内に水を溜めておき、該水とナトリウム粉体又は液体ナトリウム微粒子とを反応させ水蒸気と水酸化ナトリウム水溶液に変化させ、容器の外部へナトリウム粉体又は液体ナトリウム微粒子が放出しないようにする。
更に、ナトリウム散布口内のナトリウム粉体がナトリウムの大きな固体塊となったときは、蓄電池をＯＮにし、ナトリウム散布口に埋め込まれたニクロム線に電流を流し、ニクロム線を加熱しナトリウムの大きな固体塊を液体ナトリウムにしてナトリウム散布口から噴霧できるようにし、ナトリウム発電装置を再始動できるようにする。
【考案の効果】
【０００５】ナトリウム粉体及び液体ナトリウム微粒子はナトリウム発電装置の容器の外へ放出されなくなる。
ナトリウム散布口が異常の高温になってナトリウム粉体が液体ナトリウムとなり、運転停止後常温になり、ナトリウムの大きな固体塊となっても運転を再始動できる。
【考案を実施するための最良の形態】
【０００６】水滴を容器内に充満させるスプリンクラーを容器の上部に設ける。
底部に中空の球体を有するＵ字管を容器の出口から外側に多段に設ける。
蓄電池に接続されたニクロム線をナトリウム散布口の周囲に埋め込む。
【実施例】
【０００７】請求項１について述べる。
図１において、容器（１）内に滞留している、又は蒸気（１７）と共に上昇していくナトリウム粉体又は液体ナトリウム微粒子（１４）に、容器の上部に設置されたスプリンクラー（５）から、水滴（１５）を下に向けて散布させ、該水滴（１５）を容器（１）内に充満させると、下に向かって移動する水滴と該ナトリウム粉体又は液体ナトリウム微粒子（１４）とが衝突し反応を起こし、水蒸気（１７）は上へ向かって移動し蒸気出口（７）から出ていき、水酸化ナトリウム水溶液は比重が大きく下に向かって落下し水（３）に落ちていき、そのナトリウム粉体又は液体ナトリウム微粒子（１４）は消滅する。このようにナトリウム粉体又は液体ナトリウム微粒子（１４）は容器（１）の外に出なくなる。
尚、ナトリウム散布口（２）に水滴（１５）が当たらないようにするために、該ナトリウム散布口（２）の上部に遮蔽板（図示せず）を設置しても良い。
更に、スプリンクラー（５）から放出される水滴（１５）群と同じ量の水（３）を排水口（１９）から排水し、容器（１）内の水（３）の水位を一定に保つようにする。
尚、この排水（１２）は水酸化ナトリウム水溶液であり、ｐＨセンサを利用して該排水（１２）を中和槽（１３）にて塩化水素（ＨＣｌ）で中和し食塩水として排水する。【０００８】請求項２について述べる。
図１において、Ｕ字管（８）の中を水蒸気（１７）が高速で流れていく。万一該水蒸気（１７）内にナトリウム粉体又は液体ナトリウム微粒子（１４）が含まれている場合、該ナトリウム粉体又は液体ナトリウム微粒子（１４）は遠心力と重力によりＵ字管（８）の底部に設けられた中空の球体（９）内に取り込まれる。
該中空の球体（９）内に水（１０）を溜めておくと、取り込まれたナトリウム粉体又は液体ナトリウム微粒子（１４）と水（１０）とが反応を起こし水蒸気（１７）と水酸化ナトリウム水溶液になり、含まれていたナトリウム粉体又は液体ナトリウム微粒子（１４）は消滅し、Ｕ字管の外には出ないようになる。
従って、Ｕ字管（８）を通り抜けた水蒸気（１７）を発電機（１１）の開口部（１８）から放出しても、該水蒸気（１７）にはナトリウム粉体又は液体ナトリウム微粒子（１４）は含まれておらず、ナトリウム発電装置の外には放出されない。【０００９】請求項３について述べる。
図１において、ナトリウム散布口（２）内が固体のナトリウム粉体群のみである場合、ナトリウム発電装置の運転中にナトリウム散布口（２）内が異常な高温となり、該固体のナトリウム粉体群が液化してしまい、その後に運転を停止すると、ナトリウム散布口（２）内の温度は徐々に下がり、常温となった時には液化したナトリウム粉体群が再び固化し、ナトリウムの大きな固体塊になる。このままではナトリウム発電装置を再始動できないので（ナトリウムの大きな固体塊は大き過ぎてナトリウム粉体又は液体ナトリウム微粒子の放出口（２１）から放出できないので）、再始動する前に蓄電池（Ｅ）のスイッチをＯＮにして、ナトリウム散布口（２）の周囲に埋め込んだニクロム線（４）に電流を流し、該ナトリウム散布口（２）内のナトリウムの大きな固体塊を加熱し溶かす。溶けた液体ナトリウムはナトリウム散布口（２）から散布できるのでナトリウム発電装置を再始動することができる。
尚、ニクロム線（４）の代わりに、ナトリウム散布口（２）の筐体を発熱材とし、筐体の任意の２点に蓄電池（Ｅ）の（＋）極と（−）極を接続してナトリウムの大きな固体塊を加熱しても良い。
ナトリウムの大きな固体塊が溶けたかどうかは、ナトリウム散布口（２）内の任意の２点に電極を差し込み、該電極が導通すればナトリウムの大きな固体塊は溶けたと判断でき、ａ接点のリレーを用いて回路を閉じナトリウム発電装置の運転を再開すれば良い。
【図面の簡単な説明】
【００１０】
【図１】図１は本考案の改良型ナトリウム発電装置の概念図である。
【符号の簡単な説明】
【００１１】（１）は容器である。
（２）はナトリウム散布口である。
（３）は水である。
（４）はニクロム線である。
（５）はスプリンクラーである。
（６）は給水である。
（７）は蒸気出口である。
（８）はＵ字管である。
（９）は球体である。
（１０）は水である
（１１）は発電機である。
（１２）は排水である。
（１３）は中和槽である。
（１４）はナトリウム粉体又は液体ナトリウム微粒子である。
（１５）は水滴である。
（１６）はゴム製ワッシャーである。
（１７）は水蒸気である。
（１８）は開口部である。
（１９）は排水口である。
（２０）は伸縮する管である。
（２１）はナトリウム粉体又は液体ナトリウム微粒子放出口である。
（Ｅ）は蓄電池である。
【図１】
0003199578.tif 000003
【手続補正書】
【提出日】平成27年6月2日(2015.6.2)
【手続補正１】
【補正対象書類名】実用新案登録請求の範囲
【補正対象項目名】請求項１
【補正方法】変更
【補正の内容】
【請求項１】
水（３）が入っている容器（１）と、
当該容器（１）内に設けられていて、ナトリウム粉体又は液体ナトリウム微粒子（１４）を当該水（３）に散布するナトリウム散布口（２）と、
前記容器（１）内で生成される水蒸気（１７）によって発電する発電機（１１）と
を有し、前記容器（１）内に入っている水（３）と当該水（３）に散布されたナトリウム粉体又は液体ナトリウム微粒子（１４）との化学反応と燃焼反応とにより発生する水蒸気（１７）と、当該水（３）と当該ナトリウム粉体又は液体ナトリウム微粒子（１４）との化学反応と燃焼反応とによる反応熱によって蒸発する水蒸気（１７）とを生成し、この水蒸気（１７）で前記発電機（１１）を作動するナトリウム発電装置であって、
前記容器（１）内に水滴（１５）を充満させる前記容器（１）の上部に設置されたスプリンクラー（５）を有することを特徴とするナトリウム発電装置
【手続補正２】
【補正対象書類名】実用新案登録請求の範囲
【補正対象項目名】請求項２
【補正方法】変更
【補正の内容】
【請求項２】
請求項１に記載されたナトリウム発電装置であって、
前記容器（１）の蒸気出口（７）から外側に底部に中空の球体（９）を有する一段又は多段のＵ字管（８）を有することを特徴とするナトリウム発電装置。
【手続補正３】
【補正対象書類名】実用新案登録請求の範囲
【補正対象項目名】請求項３
【補正方法】変更
【補正の内容】
【請求項３】
請求項１に記載されたナトリウム発電装置であって、
前記ナトリウム散布口（２）の周囲には、蓄電池（Ｅ）に接続されたニクロム線（４）が埋め込まれていることを特徴とするナトリウム発電装置。
【手続補正４】
【補正対象書類名】明細書
【補正対象項目名】０００７
【補正方法】変更
【補正の内容】
【０００７】請求項１について述べる。
図１において、
容器（１）には水（３）が溜められている。この水（３）に向けて、ナトリウム散布口（２）からナトリウム粉体又は液体ナトリウム微粒子（１４）が散布されると、この水（３）とこのナトリウム粉体又は液体ナトリウム微粒子（１４）とが化学反応し水素ガスが発生する。この水素ガスが自然発火し燃焼し、水蒸気（１７）が生成され、同時にこの燃焼反応の熱によって水（３）の一部が蒸発し水蒸気（１７）が生成される。これらの水蒸気（１７）によって発電機（１１）の羽根を回転させることにより発電するナトリウム発電装置に於いて述べる。
容器（１）内に滞留している，又は水蒸気（１７）と共に上昇していくナトリウム粉体又は液体ナトリウム微粒子（１４）に、容器（１）の上部に設置されたスプリンクラー（５）から、水滴（１５）を下に向けて散布させ、該水滴（１５）を容器（１）充満させると、下に向かって移動する水滴（１５）と該ナトリウム粉体又は液体ナトリウム微粒子（１４）とが衝突し反応を起こし、水蒸気（１７）は上へ向かって移動し蒸気出口（７）から出ていき、水酸化ナトリウム水溶液は比重が大きく下に向かって落下し水（３）に落ちていき、そのナトリウム粉体又は液体ナトリウム微粒子（１４）は消滅する。このようにナトリウム粉体又は液体ナトリウム微粒子（１４）は容器（１）の外に出なくなる。
尚、ナトリウム散布口（２）に水滴（１５）が当たらないようにするために、該ナトリウム散布口（２）の上部に遮蔽板（図示せず）を設置しても良い。
更に、スプリンクラー（５）から放出される水滴（１５）群と同じ量の水（３）を排出口（１９）から排水し、容器（１）内の水（３）の水位を一定に保つようにする。
尚、この排水（１２）は水酸化ナトリウム水溶液であり、ｐＨセンサを利用して該排水（１２）を中和槽（１３）にて塩化水素（ＨＣｌ）で中和し食塩水として排水する。